(57)【要約】【課題】  容易かつコストをかけずに遊技盤の外観の変更を可能にする。【解決手段】  役物２０は、通常入賞口９に入るパチンコ球を受ける構造物である。役物２０には、遊技盤４に設けられた取り付け釘２６に挿通される挿通穴２３が設けられている。役物２０は、取り付け釘２６を挿通穴２３に挿通させることにより遊技盤４に保持される。役物２０は、遊技盤４に着脱自在であり、役物２０を交換する必要がある場合には取り付け釘２６から引き抜くことにより取り外すことができる。【選択図】        図４
2005230441.tif 000002
【特許請求の範囲】
【請求項１】
盤面上を落下する遊技媒体と衝突し、その落下経路を変化させる複数の釘が設けられた遊技盤を備えた遊技機において、
前記釘が挿通される複数の挿通穴を有し、前記釘が前記挿通穴にそれぞれ挿通されることによって前記遊技盤に保持される構造物が設けられていることを特徴とする遊技機。
【請求項２】
前記構造物は、照明装置と、この照明装置と接続された第１のコネクタとを備え、
前記遊技盤は、前記照明装置を制御する制御装置と接続されているとともに、前記遊技盤に保持された前記構造物の前記第１のコネクタと接続する第２のコネクタを備えていることを特徴とする請求項１記載の遊技機。
【発明の詳細な説明】
【技術分野】
【０００１】
本発明は、盤面上を落下する遊技媒体と衝突する釘と、盤面上に保持される構造物とが設けられた遊技盤を備える遊技機に関する。
【背景技術】
【０００２】
遊技店に設置される遊技機の一つとして知られているパチンコ遊技機では、遊技媒体として使用されるパチンコ球を打ち出し、遊技盤の盤面上でパチンコ球を落下させることにより遊技が行われる。遊技盤には入賞口及びアウト口が設けられている。パチンコ球が入賞口に入ると入賞となり、所定個数のパチンコ球が賞球として払い出される。また、アウト口に入ったパチンコ球は回収される。
【０００３】
遊技盤には、入賞口やアウト口の他にも、パチンコ球と衝突してその落下経路を様々に変化させる釘や、落下するパチンコ球の勢いを利用して回転する風車、入賞口の近傍でパチンコ球の入賞を補助する装置等が設けられている。遊技盤に設けられる構造物は、釘を除き、役物とも呼ばれており、遊技盤を装飾し、遊技の難易度や面白味を決定する要素となっている。
【発明の開示】
【発明が解決しようとする課題】
【０００４】
しかしながら、従来では、上述した役物をビス止めや接着剤を用いて遊技盤に固着していたため、役物の破損や故障等により交換を要する場合にはその交換作業に手間がかかるという問題があった。
【０００５】
本発明は、上記問題点を考慮してなされたもので、遊技盤に設けられる役物の取り付けや取外しを容易にした遊技機を提供することを目的とする。
【課題を解決するための手段】
【０００６】
上記目的を達成するために本発明は、盤面上を落下する遊技媒体と衝突し、その落下経路を変化させる複数の釘が設けられた遊技盤を備えた遊技機において、前記釘が挿通される複数の挿通穴を有し、前記釘が前記挿通穴にそれぞれ挿通されることによって前記遊技盤に保持される構造物が設けられていることを特徴とする。
【０００７】
また、前記構造物は、照明装置と、この照明装置と接続された第１のコネクタとを備え、前記遊技盤は、前記照明装置を制御する制御装置と接続されているとともに、前記遊技盤に保持された前記構造物の前記第１のコネクタと接続する第２のコネクタを備えていることを特徴とする。
【発明の効果】
【０００８】
請求項１に記載の発明によれば、遊技盤に対して構造物を固着することなく、遊技盤に設けられた釘に構造物を挿通させることにより構造物を着脱自在とすることができ、破損や故障が発生した構造物を容易かつ迅速に交換できる。また、遊技盤に設けられている既存の構造物をデザインの異なるものと交換し、遊技盤の外観を変更することが容易に行える。特に、遊技盤の様々な位置に釘が設けられていれば構造物の配置を変更することもでき、遊技盤の外観を変更するのみならず、遊技盤を再利用した機種の変更が可能となり、機種の変更に要するコストを低減できる。また、構造物に挿通される複数の釘の並び方に基づいて遊技盤のどの位置に構造物を取り付けるかを容易に判断でき、便利である。
【０００９】
請求項２に記載の発明によれば、構造物の挿通穴に釘を挿通させて遊技盤に構造物を取り付ける工程と、構造物に設けられた照明装置を制御装置に接続する工程とが同時に行えるから、構造物の交換時に要する手間を減らすことができる。
【発明を実施するための最良の形態】
【００１０】
図１において、パチンコ遊技機２は、本体枠３に遊技盤４が設けられている。本体枠３には、前面扉５が開閉自在に設けられている。遊技盤４には、液晶表示装置７、始動入賞口８、通常入賞口９、通過入賞口１０、アタッカ１１、アウト口１２が設けられている。遊技盤４の盤面４ａは、パチンコ球が進路を様々に変えながら適度な時間を費やして落下する遊技領域として構成されている。パチンコ遊技機２には、パチンコ球を発射する発射装置、賞球を払い出す払い出し装置、電源回路、ランプ、スピーカーなどが組み付けられている。
【００１１】
前面扉５の下方には、パチンコ球を供給するための供給皿１５及びパチンコ球の打ち出し強さを調節する操作ハンドル１６が設けられている。供給皿１５に投入されたパチンコ球は発射装置へ誘導され、操作ハンドル１６の操作によって遊技盤４に向けて１個ずつ打ち出される。打ち出されたパチンコ球は、始動入賞口８、通常入賞口９、アウト口１２のいずれかに入る。始動入賞口８、通常入賞口９にパチンコ球が入賞すると、それぞれ所定個数のパチンコ球が賞球として払い出される。アウト口１２に入ったパチンコ球は入賞から外れたものとして回収される。また、始動入賞口８にパチンコ球が入賞した場合には電子抽選が行われ、その結果が液晶表示装置７に表示される。
【００１２】
液晶表示装置７は、図柄等の識別情報の可変表示を行い、可変表示が停止したときに表示されている識別情報の種類や組み合わせにより当たりか否かを表示する。当たりが得られると、通常の遊技よりも賞球を多く獲得できる有利な遊技状態へと移行し、アタッカ１１が開放されることにより他の入賞口よりもパチンコ球が入賞しやすい大入賞口が出現する。アタッカ１１は、所定時間開放されるか、大入賞口に所定個数のパチンコ球が入賞することを条件に閉じられ、同じ条件に基づいて開閉動作を複数回繰り返す。
【００１３】
図２において、遊技盤４には、パチンコ球を受ける役物（構造物）２０が設けられている。役物２０には凹部２１が形成されており、凹部２１に入ったパチンコ球は通常入賞口９に入賞する。遊技盤４には複数の釘が設けられている。この釘には、通常入賞口９の上方で運動するパチンコ球と衝突し、パチンコ球を通常入賞口９に入賞させる経路と、通常入賞口９に入賞させない経路とに振り分ける６本の遊技釘２５と、役物２０を遊技盤４に取り付けるための５本の取り付け釘２６とがある。遊技釘２５と取り付け釘２６は、形状，材質がともに同じものであり、通常入賞口９の周辺のみならず遊技盤４の様々な位置に設けられている。
【００１４】
通常入賞口９の上方に設けられた遊技釘２５は、通常入賞口９に入賞する経路に落下したパチンコ球が凹部２１に確実に入るように誘導する役割と、通常入賞口９に入賞しない経路に落下したパチンコ球が凹部２１に入ることを阻止する役割をする。取り付け釘２６は、通常入賞口９の下方及び側方に設けられており、役物２０が取り付けられる遊技盤４の所定の範囲に配列されている。遊技釘２５は、遊技盤４の盤面４ａに対して垂直に打ち込まれたもの、又は略垂直に打ち込まれたものがあり、取り付け釘２５は、遊技盤４の盤面４ａに対して全て概ね垂直に打ち込まれている。
【００１５】
図３において、役物２０には、その平坦な背面部２２に取り付け釘２６が挿通される挿通穴２３が形成されている。挿通穴２３は、取り付け釘２６に対してその数と配列が一致するように設けられており、役物２０には５本の取り付け釘２６に対応して挿通穴２３が５個形成されている。
【００１６】
図４において、取り付け釘２６は、遊技盤４に打ち込みやすくするために先鋭に形成された先鋭部２８と、円柱状に長く形成された柱状部２９と、略半球状に形成された頭部３０とからなる。頭部３０は、柱状部２９よりもその径方向に突出している。挿通穴２３は円柱形状であり、挿通穴２３の直径は頭部３０の大きさとほぼ等しく、取り付け釘２６は挿通穴２３に圧入される。また、挿通穴２３の深さは遊技盤４から露呈される柱状部２９から頭部３０までを含めた長さと等しく、この長さに対して役物２０はその奥行き方向の寸法が大きい。このため、取り付け釘２６は役物２０の内部に収納され、外部から覆い隠される。挿通穴２３に対して取り付け釘２６が完全に挿通されると、役物２０の背面部２２は遊技盤４の盤面４ａに密着する。
【００１７】
遊技釘２５と取り付け釘２６は、パチンコ遊技機２の製造時の釘打ち工程において遊技盤４に打ち込まれる。役物２０を遊技盤４に取り付ける際、遊技釘２５と取り付け釘２６とを一見して区別することはできないが、役物２０に形成された複数の挿通穴２３の配列と同じ配列で釘が打ち込まれた部分が取り付け釘２６であると判断できる。役物２０を取り付ける際には、挿通穴２３の位置と取り付け釘２６の頭部３０の位置とを合わせ、挿通穴２３に取り付け釘２６を圧入する。役物２０の背面部２２が遊技盤４の盤面４ａに密着する位置まで役物２０を押し込むと、役物２０が遊技盤４に取り付けられる。
【００１８】
図５において、遊技盤４を装飾する役物（構造物）４０は遊技盤４の盤面４ａ上に設けられ、パチンコ球と衝突する構造物の１つである。役物４０は、透光性の素材からなり、その内部には役物４０を照明する照明装置４１が設けられている。照明装置４１は、複数の発光ダイオード４２と、基板４３と、コネクタ（第１のコネクタ）４４とを備えている。なお、照明装置４１の光源としては発光ダイオードに限らずフィラメントを有する電球等を用いてもよい。
【００１９】
遊技盤４の盤面４ａには、遊技盤４に組み込まれたハーネス４６を介してパチンコ遊技機２の制御装置４８に接続されたコネクタ（第２のコネクタ）４５が設けられている。制御装置４８は、パチンコ遊技機２の電気的な動作を管理する。制御装置４８は照明装置４１を制御し、発光ダイオード４２を点灯させて役物４０を照明させる。例えば、始動入賞口８にパチンコ球が入賞して電子抽選が行われた時に当たりが得られると制御装置４８から照明装置４１に発光ダイオード４２を点灯させるための制御信号が送られ、発光ダイオード４２の光によって遊技者に当たりを報知する。
【００２０】
役物４０には、取り付け釘２６が挿通される挿通穴５０が設けられている。役物４０は、取り付け釘２６が遊技盤４から露呈される長さよりもその奥行き方向の寸法が小さく、取り付け釘２６は役物４０を貫通し、取り付け釘２６の頭部３０は役物４０の前面に露呈される。挿通穴５０に取り付け釘２６を完全に挿通させ、役物４０が遊技盤４に密着したとき、コネクタ４４とコネクタ４５は接続され、照明装置４１と制御装置４８が接続される。
【００２１】
挿通穴５０には、役物４０が取り付け釘２６から抜け落ちないように適度な摩擦力を与えるチューブ５１が挿入されている。チューブ５１は、挿通穴５０に取り付け釘２６が挿通される際に頭部３０によって押し広げられるように弾性変形するが、頭部３０が通過した後は取り付け釘２６の外周面に密着し、挿通穴５０と取り付け釘２６の間に隙間が生じることを防ぎ、役物４０がパチンコ球との衝突によって不用意に動かないようにする。
【００２２】
このように、役物２０及び役物４０は、それぞれ形成された挿通穴２３及び挿通穴５０に取り付け釘２６が挿通され、取り付け釘２６によって遊技盤４の盤面４ａに保持される。一方、役物２０及び役物４０を交換する必要が生じた場合、役物２０及び役物４０をそれぞれ取り付け釘２６から引き抜くことで遊技盤４から容易に取り外すことができる。
【００２３】
なお、本発明における構造物としては、役物２０及び４０以外にも、液晶表示装置７が取り付けられたセンター役物、アタッカ１１を一例とする電動役物、あるいは電動役物を取り付けるためのベースとなる構造物等に適用してもよく、遊技盤４の盤面４ａに設けられる構造物には等しく適用できる。また、照明装置４１のように構造物に電力を要する部材や装置が設けられる場合には、構造物に電源を設け、取り付け釘２６をアースとして用いてもよい。
【００２４】
また、本発明においては、遊技に使用される遊技釘と構造物の取り付けに使用される取り付け釘を容易に見分けることができるように、取り付け釘を環状等の特殊な配列にし、遊技釘と明確に異なる配列にすることが好ましい。あるいは、構造物を取り付ける位置の変更や機種の変更等に対応できるように、遊技釘と取り付け釘を兼用する場合には、取り付け釘を特殊な配列とする代わりに、取り付け釘として使用する釘を構造物の種類又は色に対応して着色し、遊技釘と容易に見分けられるようにしてもよい。また、本発明はパチンコ遊技機に限らず、パチンコ球と異なる遊技球が用いられる他の遊技機、メダル等の円盤形状の他の遊技媒体を用いる遊技機等にも適用できる。
【図面の簡単な説明】
【００２５】
【図１】弾球遊技機の外観斜視図である。
【図２】役物の前面側斜視図である。
【図３】役物の背面側斜視図である。
【図４】役物の断面図である。
【図５】異なる形態の役物の断面図である。
【符号の説明】
【００２６】
２  パチンコ遊技機
４  遊技盤
４ａ  盤面
２０，４０  役物（構造物）
２３，５０  挿通穴
２５  遊技釘（釘）
２６  取り付け釘（釘）
４１  照明装置
４４  コネクタ（第１のコネクタ）
４５  コネクタ（第２のコネクタ）
４８  制御装置
【図１】
2005230441.tif 000003
【図２】
2005230441.tif 000004
【図３】
2005230441.tif 000005
【図４】
2005230441.tif 000006
【図５】
2005230441.tif 000007